(57)【要約】      （修正有）【課題】動作の範囲を増大させるとともに、搬送効果を向上させることができ、複数の作業員による共同搬送作業の不足を回避することができ、ガラスの加工効率を向上させることができるガラス搬送装置を提供する。【解決手段】車体と、前記車体の上端片側に取り付けられる支持板２と、前記車体の下端四隅に取り付けられるキャスター３と、前記支持板の上面に取り付けられる矩形台と、矩形台の外周に取り付けられる４セットの調整アセンブリと、４セットの前記調整アセンブリの後部上端に取り付けられる４セットの吸着アセンブリと、を含む。本考案は、ガラスを４セットの吸着アセンブリによって安定的に固定処理し、大きめのガラスを位置決めする必要がある場合、必要に応じて４セットの調整枠内部の案内板を調整し、全体の適用性が広く、異なる形状寸法のガラスに対し固定搬送を行うことができる。【選択図】図１
0003232655.tif 000002
【実用新案登録請求の範囲】
【請求項１】
ガラス搬送装置であって、
車体（１）と、
前記車体（１）の上端片側に取り付けられる支持板（２）と、
前記車体（１）の下端四隅に取り付けられるキャスター（３）と、
前記支持板（２）の上面に取り付けられる矩形台（４）と、
矩形台（４）の外周に取り付けられる４セットの調整アセンブリと、
４セットの前記調整アセンブリの後部上端に取り付けられる４セットの吸着アセンブリと、を含む、
ことを特徴とするガラス搬送装置。
【請求項２】
請求項１に記載のガラス搬送装置であって、
４セットの前記調整アセンブリの後端と前記矩形台（４）とは、密着して固定され、
４セットの前記調整アセンブリは、十字型に形成される、
ことを特徴とするガラス搬送装置。
【請求項３】
請求項１に記載のガラス搬送装置であって、
前記矩形台（４）は、鋼材をプレスすることで全体直方体に形成される、
ことを特徴とするガラス搬送装置。
【請求項４】
請求項１に記載のガラス搬送装置であって、
４セットの前記調整アセンブリのいずれも、
前記矩形台（４）の外周に取り付けられる載置枠（５）と、
前記載置枠（５）の内部に摺動可能に取り付けられる摺動板（６）と、
後端が前記摺動板（６）と接続するように前記載置枠（５）の側壁を貫通して取り付けられる案内板（７）と、
前記載置枠（５）と前記摺動板（６）との間に取り付けられる伸縮ロッド（８）と、を含む、
ことを特徴とするガラス搬送装置。
【請求項５】
請求項１に記載のガラス搬送装置であって、
前記車体（１）の上端片側には、プッシュロッド（９）が取り付けられ、
前記車体（１）の片側には、重りが取り付けられ、
前記プッシュロッド（９）の外部スリーブには、防護クッションが設けられる、
ことを特徴とするガラス搬送装置。
【請求項６】
請求項４に記載のガラス搬送装置であって、
前記摺動板（６）は、前記載置枠（５）の内壁を密着に摺動し、
前記載置枠（５）の内壁には、前記摺動板（６）と係合するレールが設けられる、
ことを特徴とするガラス搬送装置。
【請求項７】
請求項４に記載のガラス搬送装置であって、
前記伸縮ロッド（８）の後端は、ねじによって前記載置枠（５）の内壁にロックして固定され、
前記伸縮ロッド（８）の出力端は、前記摺動板（６）の側壁と接続される、
ことを特徴とするガラス搬送装置。
【請求項８】
請求項４に記載のガラス搬送装置であって、
４セットの前記吸着アセンブリのいずれも、
前記案内板（７）の後部上端に取り付けられる位置決め柱（１０）と、
前記位置決め柱（１０）の上端に取り付けられる吸着枠（１１）と、
前記吸着枠（１１）の内部上端に設けられる吸着キャビティ（１２）と、
前記吸着キャビティ（１２）の内部上端に設けられる吸着板（１３）と、
後端が前記吸着枠（１１）の外部と連通するように前記吸着キャビティ（１２）の下端に取り付けられる伝達管（１４）と、
前記伝達管（１４）の端部に取り付けられる気体ポンプ（１５）と、を含む、
ことを特徴とするガラス搬送装置。
【請求項９】
請求項８に記載のガラス搬送装置であって、
前記吸着板（１３）のいずれにも、複数セットの吸着貫通孔が形成され、
前記吸着板（１３）の上面には、ゴムパッドが取り付けられる、
ことを特徴とするガラス搬送装置。
【請求項１０】
請求項８に記載のガラス搬送装置であって、
前記伝達管（１４）は、全体円柱形状に形成され、その内壁を平滑処理する、
ことを特徴とするガラス搬送装置。
【考案の詳細な説明】
【技術分野】
【０００１】
本考案は、ガラス加工設備分野に関し、特にガラス搬送装置に関する。
【背景技術】
【０００２】
ガラスは、アモルファス無機非金属材料であり、一般的に複数の無機鉱物を主要原料とするものである。また、少量の補助原料を加えて構成されてもよい。その主要成分は、シリカ及びその他の酸化物である。ガラスは、石英ガラス、耐高圧ガラス、耐紫外線ガラス、防爆ガラス等に分類され、建築、日用、芸術、医療、化学、電子機器等の分野に幅広く用いられる。ガラスは、出来上がってから、搬送移送される必要があり、伝統の搬送装置全体の使用制限性が大きく、ガラスの位置を安定的に規制することができず、全体的に搬送のリスクが大きく、かつ、必要に応じてガラスの位置規制の寸法を調整することができないため、大きめのガラスを搬送する際に、ガラスの安定性を保証することができない。
【０００３】
従来技術には、以下の問題がある。すなわち、伝統の搬送装置の使用制限性が大きく、ガラスの位置を安定的に規制することができず、全体的に搬送のリスクが大きく、かつ、必要に応じてガラスの位置規制の寸法を調整することができないため、大きめのガラスを搬送する際に、ガラスの安定性を保証することができない。よって、ガラスが脱落しやすくなり、装置全体の使用範囲が低下する。
【考案の概要】
【０００４】
本考案は、伝統の搬送装置の使用制限性が大きく、ガラスの位置を安定的に規制することができず、全体的に搬送のリスクが大きく、かつ、必要に応じてガラスの位置規制の寸法を調整することができないため、大きめのガラスを搬送する際に、ガラスの安定性を保証することができないという問題を解消するためのガラス搬送装置を提供することを目的とする。
【０００５】
上述した目的を実現するため、本考案のある態様によれば、ガラス搬送装置であって、車体と、前記車体の上端片側に取り付けられる支持板と、前記車体の下端四隅に取り付けられるキャスターと、前記支持板の上面に取り付けられる矩形台と、矩形台の外周に取り付けられる４セットの調整アセンブリと、４セットの前記調整アセンブリの後部上端に取り付けられる４セットの吸着アセンブリと、を含むガラス搬送装置が提供される。
【０００６】
４セットの前記調整アセンブリの後端と前記矩形台とは、密着して固定され、４セットの前記調整アセンブリは、十字型に形成されることが好ましい。
【０００７】
前記矩形台は、鋼材をプレスすることで全体直方体に形成されることが好ましい。
【０００８】
４セットの前記調整アセンブリのいずれも、前記矩形台の外周に取り付けられる載置枠と、前記載置枠の内部に摺動可能に取り付けられる摺動板と、後端が前記摺動板と接続するように前記載置枠の側壁を貫通して取り付けられる案内板と、前記載置枠と前記摺動板との間に取り付けられる伸縮ロッドと、を含むことが好ましい。これにより、全体の適用性が広く、異なる形状寸法のガラスに対し固定搬送を行うことができるので、動作の範囲を増大させるとともに、搬送効果を向上させることができる。
【０００９】
前記車体の上端片側には、プッシュロッドが取り付けられ、前記車体の片側には、重りが取り付けられ、前記プッシュロッドの外部スリーブには、防護クッションが設けられることが好ましい。
【００１０】
前記摺動板は、前記載置枠の内壁を密着に摺動し、前記載置枠の内壁には、前記摺動板と係合するレールが設けられることが好ましい。
【００１１】
前記伸縮ロッドの後端は、ねじによって前記載置枠の内壁にロックして固定され、前記伸縮ロッドの出力端は、前記摺動板の側壁と接続されることが好ましい。
【００１２】
４セットの前記吸着アセンブリのいずれも、前記案内板の後部上端に取り付けられる位置決め柱と、前記位置決め柱の上端に取り付けられる吸着枠と、前記吸着枠の内部上端に設けられる吸着キャビティと、前記吸着キャビティの内部上端に設けられる吸着板と、後端が前記吸着枠の外部と連通するように前記吸着キャビティの下端に取り付けられる伝達管と、前記伝達管の端部に取り付けられる気体ポンプと、を含むことが好ましい。吸着板に負圧を形成することによって、ガラスの吸着固定を行うことができ、また、４セットの吸着アセンブリによってガラスの四隅の位置規制を行うことができ、全体位置規制の良好及び安定性を向上させることができる。
【００１３】
前記吸着板のいずれにも、複数セットの吸着貫通孔が形成され、前記吸着板の上面には、ゴムパッドが取り付けられることが好ましい。
【００１４】
前記伝達管は、全体円柱形状に形成され、その内壁を平滑処理することが好ましい。
【考案の効果】
【００１５】
本考案は、先行技術に比べ、以下の効果を有する。
その１、本考案によれば、４セットの吸着アセンブリを設けるとともに、吸着キャビティの内部の気体を伝達管によって吸引することで、吸着キャビティの内部に負圧効果を形成するとともに吸着板に負圧吸着状態を形成し、ガラスの吸着固定を行うことができ、ガラスの四隅を４セットの吸着アセンブリによって位置規制し、全体の位置規制の安定性を向上させることができるので、伝統のガラス搬送設備が安定的にガラスの位置規制を行えないことを回避することができる。
【００１６】
その２、本考案によれば、4セットの調整アセンブリを設け、大きめのガラスを位置決めする必要がある場合、必要に応じて４セットの調整枠内部の案内板を調整し、全体の適用性が広く、異なる形状寸法のガラスに対し固定搬送を行うことができるので、動作の範囲を増大させるとともに、搬送効果を向上させることができる。複数の作業員による共同搬送作業の不足を回避することができ、ガラスの加工効率を向上させることができる。
【図面の簡単な説明】
【００１７】
【図１】本考案に係る全体構成概略図である。
【図２】本考案の調整アセンブリの構成概略図である。
【図３】本考案の調整アセンブリの平面図である。
【図４】本考案の吸着アセンブリの構成概略図である。
【考案を実施するための形態】
【００１８】
図１から図４に示すように、本考案に係るガラス搬送装置は、車体１と、前記車体１の上端片側に取り付けられる支持板２と、前記車体１の下端四隅に取り付けられるキャスター３と、前記支持板２の上面に取り付けられる矩形台４と、矩形台４の外周に取り付けられる４セットの調整アセンブリと、４セットの前記調整アセンブリの後部上端に取り付けられる４セットの吸着アセンブリと、を含む。
【００１９】
また、４セットの前記調整アセンブリの後端と前記矩形台４とは、密着して固定され、４セットの前記調整アセンブリは、十字型に形成される。
【００２０】
また、前記矩形台４は、鋼材をプレスすることで全体直方体に形成される。
【００２１】
また、４セットの前記調整アセンブリのいずれも、前記矩形台４の外周に取り付けられる載置枠５と、前記載置枠５の内部に摺動可能に取り付けられる摺動板６と、後端が前記摺動板６と接続するように前記載置枠５の側壁を貫通して取り付けられる案内板７と、前記載置枠５と前記摺動板６との間に取り付けられる伸縮ロッド８と、を含む。そして、大きめのガラスを位置決めする必要がある場合、必要に応じて４セットの調整枠内部の案内板７を調整し、全体の適用性が広く、異なる形状寸法のガラスに対し固定搬送を行うことができるので、動作の範囲を増大させるとともに、搬送効果を向上させることができる。複数の作業員による共同搬送作業の不足を回避することができ、ガラスの加工効率を向上させることができる。
【００２２】
また、前記車体１の上端片側には、プッシュロッド９が取り付けられ、前記車体１の片側には、重りが取り付けられ、前記プッシュロッド９の外部スリーブには、防護クッションが設けられる。
【００２３】
また、前記摺動板６は、前記載置枠５の内壁を密着に摺動し、前記載置枠５の内壁には、前記摺動板６と係合するレールが設けられる。
【００２４】
また、前記伸縮ロッド８の後端は、ねじによって前記載置枠５の内壁にロックして固定され、前記伸縮ロッド８の出力端は、前記摺動板６の側壁と接続される。
【００２５】
また、４セットの前記吸着アセンブリのいずれも、前記案内板７の後部上端に取り付けられる位置決め柱１０と、前記位置決め柱１０の上端に取り付けられる吸着枠１１と、前記吸着枠１１の内部上端に設けられる吸着キャビティ１２と、前記吸着キャビティ１２の内部上端に設けられる吸着板１３と、後端が前記吸着枠１１の外部と連通するように前記吸着キャビティ１２の下端に取り付けられる伝達管１４と、前記伝達管１４の端部に取り付けられる気体ポンプ１５と、を含む。そして、吸着キャビティ１２の内部の気体を伝達管１４によって吸引することで、吸着キャビティ１２の内部に負圧効果を形成するとともに吸着板１３に負圧吸着状態を形成し、ガラスの吸着固定を行うことができ、ガラスの四隅を４セットの吸着アセンブリによって位置規制し、全体の位置規制の安定性を向上させることができるので、伝統のガラス搬送設備が安定的にガラスの位置規制を行えないことを回避することができる。
【００２６】
前記吸着板１３のいずれにも、複数セットの吸着貫通孔が形成され、前記吸着板１３の上面には、ゴムパッドが取り付けられる。
【００２７】
前記伝達管１４は、全体円柱形状に形成され、その内壁を平滑処理する。
【００２８】
以下、操作について説明する。使用時において、作業員は、車体１を利用して支持板２上のガラスを安定的に搬送するとともに全体の操作を簡単にすることができる。異なる寸法のガラスを搬送することができる。４セットの吸着アセンブリを設けることによって、ガラスを吸着板１３と密着されるように支持板２の上方に載置する。その後、気体ポンプ１５を駆動し、吸着キャビティ１２の内部の気体を伝達管１４によって吸引することで、吸着キャビティ１２の内部に負圧効果を形成するとともに吸着板１３に負圧吸着状態を形成し、ガラスの吸着固定を行うことができ、ガラスの四隅を４セットの吸着アセンブリによって位置規制し、全体の位置規制の安定性を向上させることができるので、伝統のガラス搬送設備が安定的にガラスの位置規制を行えないことを回避することができる。同時に４セットの調整アセンブリを設けることによって、大きめのガラスを位置決めする必要がある場合、必要に応じて４セットの調整枠内部の案内板７を調整し、全体の適用性が広く、異なる形状寸法のガラスに対し固定搬送を行うことができる。具体的に使用する時において、案内板７は、引っ張られて摺動板６の案内によって、案内板７の安定性を保証することができるので、案内板７が移動時においてずれてしまうことを回避することができる。同時に載置枠５の内部において伸縮ロッド８を延在することによって、案内板７の移動を案内して位置決めすることができる。このため、動作の範囲を増大させるとともに、搬送効果を向上させることができる。複数の作業員による共同搬送作業の不足を回避することができ、ガラスの加工効率を向上させることができる。
【符号の説明】
【００２９】
１      車体
２      支持板
３      キャスター
４      矩形台
５      載置枠
６      摺動板
７      案内板
８      伸縮ロッド
９      プッシュロッド
１０    位置決め柱
１１    吸着枠
１２    吸着キャビティ
１３    吸着板
１４    伝達管
１５    気体ポンプ
【図１】
0003232655.tif 000003
【図２】
0003232655.tif 000004
【図３】
0003232655.tif 000005
【図４】
0003232655.tif 000006